(57)【特許請求の範囲】
【請求項１】
電源から電源コードを介して供給される電力によって駆動されるモータと、該モータ及びこれによって回転駆動される回転刃を収納した本体と、該本体から延びるハンドルを備えた芝刈機において、
前記ハンドルに前記電源コードを収納するための収納手段を設け、該収納手段は、本体収納時又は運搬時に該本体と前記ハンドルとの位置関係を保持するための保持部材を兼ねることを特徴とする芝刈機。
【請求項２】
前記収納手段は、前記電源コードの延長コードを収納することを特徴とする請求項１記載の芝刈機。
【請求項３】
前記収納手段は、前記保持部材を構成するバンドを折り返して前記電源コードを結束することを特徴とする請求項１又は２に記載の芝刈機。
【発明の詳細な説明】
【技術分野】
【０００１】
本発明は、モータによって回転刃を回転駆動しながらハンドルを押して本体を地面に沿って走行させることによって芝を刈り込む芝刈機に関するものである。
【背景技術】
【０００２】
芝刈機は、電源から電源コードを介して供給される電力によって駆動されるモータと、該モータ及びこれによって回転駆動される回転刃を収納した本体と、該本体から延びるハンドルを備えており、前記モータによって前記回転刃を回転駆動しながらハンドルを押して本体を地面に沿って走行させることによって芝を刈り込むものである。
【０００３】
ところで、一般には斯かる芝刈機の作業範囲は広いため、電源コードには長いものが使用され、実際には芝刈機本体に取り付けられた固定コードに長い延長コードを接続して使用されている。
【特許文献１】特開２００７−１１６９５４号公報
【特許文献２】特開平１１−１６８９４０号公報
【発明の開示】
【発明が解決しようとする課題】
【０００４】
芝刈機において、長い延長コードを使用する場合には、芝刈機本体を収納したり運搬する際に長い延長コードが邪魔になるため、延長コードは芝刈機本体とは別にされることが多かった。又、芝刈機は季節製品であって１年を通じて頻繁に使用されるものではないため、一旦収納されると次に使用するまで長期間保管される。このため、保管しておいた延長コードを作業前に見つけ出すのに長時間を要したり、延長コードを紛失してしまうことがあった。
【０００５】
本発明は上記問題に鑑みてなされたもので、その目的とする処は、収納及び運搬時に延長コードを容易且つ確実に収納することができる芝刈機を提供することにある。
【課題を解決するための手段】
【０００６】
上記目的を達成するため、請求項１記載の発明は、電源から電源コードを介して供給される電力によって駆動されるモータと、該モータ及びこれによって回転駆動される回転刃を収納した本体と、該本体から延びるハンドルを備えた芝刈機において、前記ハンドルに前記電源コードを収納するための収納手段を設けたことを特徴とする。
【０００７】
請求項２記載の発明は、請求項１記載の発明において、前記収納手段は、前記電源コードの延長コードを収納することを特徴とする。
【０００８】
請求項３記載の発明は、請求項１又は２記載の発明において、前記収納手段は、本体収納時又は運搬時に該本体と前記ハンドルとの位置関係を保持するための保持部材を兼ねることを特徴とする。
【０００９】
請求項４記載の発明は、請求項３記載の発明において、前記収納手段は、前記保持部材を構成するバンドを折り返して前記電源コードを結束することを特徴とする。
【発明の効果】
【００１０】
請求項１及び２記載の発明によれば、芝刈機を使用しないでこれを収納或いは運搬する場合には、延長コードを本体から取り外すことなく収納手段によって簡単且つ確実に収納保持することができるため、芝刈機を再度使用する場合に延長コードを探す手間が省けるとともに、延長コードを紛失してしまうという不具合が発生することがない。
【００１１】
又、作業中において作業範囲に対して延長コードが長過ぎる場合には、延長コードの長過ぎる部分を収納手段によって収納保持するようにすれば、延長コードの長さを作業範囲に応じた最適な長さに調整することができ、長過ぎる延長コードが作業の邪魔になることがなく、作業性良く芝刈りを行うことができる。
【００１２】
請求項３記載の発明によれば、本体収納時又は運搬時に該本体とハンドルとの一関係を保持するための既設の保持部材を利用して収納手段を簡単に構成することができるため、部品点数の増加やコストアップを防ぐことができる。
【００１３】
請求項４記載の発明によれば、保持部材を構成するバンドを折り返して電源コードを結束することによって該電源コードを簡単且つ確実に収納することができる。
【発明を実施するための最良の形態】
【００１４】
以下に本発明の実施の形態を添付図面に基づいて説明する。
【００１５】
図１は本発明に係る芝刈機の斜視図、図２は同芝刈機の本体部分の破断側面図、図３は保持部材の斜視図、図４は同芝刈機の収納状態を示す斜視図、図５は同芝刈機の運搬状態を示す斜視図である。
【００１６】
本発明に係る芝刈機１は、図１に示すように、本体２の後部に集草バッグ３を着脱可能に取り付けて構成されており、本体２の上部からはハンドル４が後方に向かって斜め上方に延びている。
【００１７】
上記本体２は、図２に示すように、左右一対の大径の前輪５と小径の後輪６によって地面（芝生）上を走行可能に支持されており、その内部には駆動源であるモータ７と、該モータ７によって回転駆動される回転刃８、ファン９等が収納されている。ここで、モータ７は、その出力軸（モータ軸）１０が垂直となるよう縦置きに設置されており、下方へ垂直に延びる出力軸１０には前記回転刃８と前記ファン９が取り付けられている。
【００１８】
又、本体２の後面には排出口１１が開口しており、前記集草バッグ３は、排出口１１を塞ぐよう本体２の後部に着脱可能に装着されており、その前端上部には把手１２が取り付けられている。
【００１９】
更に、前記ハンドル４は、図１に示すように、互いに平行を成す丸棒状の左右一対のハンドルバー１３を備えており、各ハンドルバー１３の下端部は、本体２の後部上面の左右に形成されたボス部２ａに軸１４によって回動可能に支持されている。そして、これらのハンドルバー１３は、軸方向に伸縮可能であって、その上端部には矩形枠状の操作部１５が取り付けられており、この操作部１５にはセーフティロックスイッチ１６とメインスイッチ１７が設けられている。尚、左右のハンドルバー１３の長手方向中間部はクロス部材１８によって互いに連結されている。
【００２０】
ところで、駆動源である前記モータ７（図２参照）へは商用電源から電源コード１９を介して電力が供給されるが、電源コード１９は、芝刈機本体２に取り付けられた固定コード１９Ａと、該固定コード１９Ａにコネクタ２０によって接続される延長コード１９Ｂとで構成されており、延長コード１９Ｂは不図示の商用電源のコンセントに接続される。又、固定コード１９Ａは、モータ７から延びて一方（右側）のハンドルバー１３に沿って立ち上がってハンドル４の操作部１５へと接続されており、前記セーフティロックスイッチ１６とメインスイッチ１７を経て操作部１５から下方へと延び、その端部に前記コネクタ２０が取り付けられている。
【００２１】
而して、本実施の形態では、ハンドル４の左右のハンドルバー１３を連結するクロス部材１８に収納手段であるベルト状の保持部材２１が取り付けられている。図３に示すように、この保持部材２１は、後述のように当該芝刈機１を収納又は運搬する際に本体２とハンドル４との位置関係を保持するための既設の部材であって、をベルトを折り返して重ね合わせ、その重ね合わせ部を部分的に接着することによって一端に形成される筒状の取付部２１ａを前記クロス部材１８に通すことによって該クロス部材１８に取り付けられる。
【００２２】
又、保持部材２１の互いに接着されていない一方のベルト部２１Ａの他端（自由端）には保持金具２２が取り付けられ、他方のベルト部２１Ｂの面には簡易着脱テープ２３が取り付けられている。このベルト部２１Ｂは、束ねられた前記延長コード１９Ｂを収納する収納部を構成するものであって、これを折り返し（丸め）、その端部に取り付けられた前記簡易着脱テープ２３をベルト部２１Ｂの他の箇所に取り付けられた別の簡易着脱テープ２４に取り付けることによって、束ねられた延長コード１９Ｂを収納保持することができ、簡易着脱テープ２３を簡易着脱テープ２４から外してベルト部２１Ｂの折り返しを解けば延長コード１９Ｂの収納を解除し、該延長コード１９Ｂを延ばしてこれを使用することができる。
【００２３】
以上のように構成された芝刈機１を用いて芝刈作業を行う場合には、図１に示すように、ハンドル４を斜めに立て、一端が不図示の商用電源に接続された延長コード１９Ｂをコネクタ２０によって固定コード１９Ａに接続した状態で、セーフティロックスイッチ１６を押しながらメインスイッチ１７をＯＮすることによって、商用電源から電源コード１９を介して図２に示すモータ７に電力が供給される。尚、作業時には、保持部材２１は使用されておらず、図１に示すように、この保持部材２１は保持金具２２を下にして垂れ下がっている。
【００２４】
上述のようにモータ７に電力が供給されると、該モータ７が起動され、その出力軸１０が回転駆動されるが、この出力軸１０に取り付けられた回転刃８とファン９も一体に回転する。この状態でハンドル４の操作部１５を前方へ押して本体２を地面（芝生）上に沿って前方（図２の左方）に走行させれば、芝が回転刃８によって刈り取られ、刈り取られた芝はファン９の回転によって誘起される風によって後方へと吹き飛ばされ、本体２の後面の排出口１１から集草バッグ３へと送られて該集草バッグ３に集められる。そして、集草バッグ３内が刈り取られた草で満杯となると、作業を一旦中断して集草バッグ３を本体２から取り外し、把手１２を持って集草バッグ３を廃棄場所へと運んで中の芝を廃棄して集草バッグ３を空にする。その後、空の集草バッグ３を本体２に再度装着して芝刈作業を再開する。
【００２５】
以上のようにして芝刈り作業が終了したために芝刈機１を収納する場合には、図４に示すように、ハンドル４のハンドルバー１３を軸方向に縮めて本体２の長手方向に平行となるよう軸１４を中心として回動させてこれを水平に倒し、集草バッグ３を本体２から取り外した状態で、本体２を排出口１１が下に成るようにして垂直に立てる。そして、保持部材２１の保持金具２２を本体２の前部に引っ掛けてハンドル４の開きを防ぎ、本体２とハンドル４をコンパクトにまとめる。この状態で、延長コード１９Ｂを取り外すことなく、これを束ねて保持部材２１によって収納保持する。即ち、束ねた延長コード１９Ｂを保持部材２１のベルト部２１Ｂに当てがい、ベルト部２１Ｂを折り返し（丸め）、その端部に取り付けられた簡易着脱テープ２３を他方の簡易着脱テープ２４に合わせて取り付ければ、束ねられた延長コード１９Ｂがワンタッチで簡単且つ確実に収納保持される。
【００２６】
上述のように、芝刈機１を使用しないでこれを収納或いは長期に保管する場合には、延長コード１９Ｂを本体２から取り外すことなく保持部材２１によって簡単且つ確実に収納保持することができるため、芝刈機１を再度使用する場合に延長コード１９Ｂを探す手間が省けるとともに、延長コード１９Ｂを紛失してしまうという不具合が発生することがない。
【００２７】
又、芝刈機１を運搬する場合には、図４に示す状態にある芝刈機１を図５示すように作業者がクロス部材１８を片手で把持して運搬することができ、この場合にも、延長コード１９Ｂは保持部材２１によって収納保持された状態で本体２と共に運搬され、該延長コード１９Ｂが運搬の邪魔になることがなく、本体２に延長コード１９Ｂが取り付けられたままの状態であるため、後に延長コード１９Ｂを紛失する等の不具合が発生することがない。
【００２８】
その他、本実施の形態では、本体２の収納時又は運搬時に該本体２とハンドル４との一関係を保持するための既設の保持部材２１を利用して収納手段を簡単に構成することができるため、部品点数の増加やコストアップを防ぐことができる。
【００２９】
以上、本発明の実施の形態について説明したが、本発明は、上述の形態に限定されるものではなく、その趣旨を逸脱しない範囲内で種々の変更が可能である。例えば、前記実施の形態では電源コード１９を収納する保持部材２１は本体２とハンドル４との位置関係を保持するための既設の部材を併用する構成としたが、収納手段として単体で設けるようにしても良い。又、保持部材２１はベルト部２１Ｂを簡易着脱テープ２３に取り付けることで電源コード１９を収納するようにしたが、収納構造はこれに限られるものではなく、ボタン式や、例えばばね弾性を有する部材で挟むようにしても良い。
【図面の簡単な説明】
【００３０】
【図１】本発明に係る芝刈機の斜視図である。
【図２】本発明に係る芝刈機の本体部分の破断側面図である。
【図３】本発明に係る芝刈機の保持部材の斜視図である。
【図４】本発明に係る芝刈機の収納状態を示す斜視図である。
【図５】本発明に係る芝刈機の運搬状態を示す斜視図である。
【符号の説明】
【００３１】
１              芝刈機
２              芝刈機本体
２ａ            芝刈機本体のボス部
３              集草バッグ
４              ハンドル
５              前輪
６              後輪
７              モータ
８              回転刃
９              ファン
１０            モータの出力軸（モータ軸）
１１            排出口
１２            集草バッグの把手
１３            ハンドルバー
１４            軸
１５            ハンドルの操作部
１６            セーフティロックスイッチ
１７            メインスイッチ
１８            クロス部材
１９            電源コード
１９Ａ          固定コード
１９Ｂ          延長コード
２０            コネクタ
２１            保持部材（収納手段）
２１Ａ，２１Ｂ  保持部材のベルト部
２１ａ          保持部材の取付部
２２            保持金具
２３，２４      簡易着脱テープ
【図１】
0005071665.tif 000002
【図２】
0005071665.tif 000003
【図３】
0005071665.tif 000004
【図４】
0005071665.tif 000005
【図５】
0005071665.tif 000006